(57)【要約】【課題】  既設の照明器具に高反射率のシェードを簡単に追加でき、その照度を大きくすることにより、必要な直管形蛍光灯の数を低減することで省エネルギー化・省資源化を企図できる直管形蛍光灯照明器具用リフレクタを提供する。【解決手段】  高反射率の表面を有するシート状部材により形成された総体的に長方形の平面形状の反射板と、取付金具とから構成される。反射板は、その短手方向中間位置に一対のスリットを備え、長手方向に伸びた複数のプレス線に沿って曲げられている。取付金具は、永久磁石と、該永久磁石を受容するためのケースとから構成される。取付金具のケースは、その中に永久磁石を磁力により吸着させて保持するための保持部と、該保持部の相互に対向する側から外方へそれぞれ延びる一対のタブ部とを有し、該タブ部は前記反射板のスリットに挿入されて折り曲げられて取付金具を反射板に結合する。【選択図】  図１
2010073391.tif 000002
【特許請求の範囲】
【請求項１】
高反射率の表面を有するシート状部材により形成され、総体的に長方形の平面形状を有する合成樹脂製の反射板と、該反射板に取り付けられる取付金具とから構成され、
前記反射板は、その短手方向中間位置に一対のスリットを備え、前記高反射率の表面側に湾曲した面を形成するように、長手方向に伸びた複数のプレス線に沿って曲げられ、
前記取付金具は、永久磁石と、該永久磁石を受容するためのケースとから構成され、
前記ケースは、その中に永久磁石を磁力により吸着させて保持するための保持部と、該保持部の相互に対向する側から外方へそれぞれ延びる一対のタブ部とを有し、該タブ部は前記反射板のスリットに挿入されて折り曲げられることにより、取付金具を反射板に結合する、直管形蛍光灯照明器具用リフレクタ。
【請求項２】
前記反射板の長手方向長さは、既存の直管形蛍光灯照明器具のソケット間の間隔と実質的に等しい、請求項１に記載の直管形蛍光灯照明器具用リフレクタ。
【発明の詳細な説明】
【技術分野】
【０００１】
本発明は、既設の直管形蛍光灯照明器具に用いることにより輝度を高めることができ、それにより必要な直管形蛍光灯の数を低減することで省エネルギー化・省資源化を遂行できる直管形蛍光灯照明器具用リフレクタに関するものである。
【背景技術】
【０００２】
直管形蛍光灯照明器具、特に天井埋込み型の直管形蛍光灯照明器具としては、シェードにより画定される空間内に１本または複数本の直管形蛍光灯を配置したものが知られている。この直管形蛍光灯照明器具に用いられているシェードは、一般的に、金属板に白色系の塗料で塗装したものであり、直管形蛍光灯から上へ放射される光線は、そのほとんどが下方へ反射されることなく吸収されたり散乱され、照明器具の照度に寄与していない。
【０００３】
このような直管形蛍光灯から上へ放射される光線を効果的に下方へ反射することにより既設の照明器具の輝度を高めようとする手段としては、山形状に曲げられた光反射シートと、光反射シートの各平板部分間に掛け渡された透明シートとから構成される筒状反射板構成体がある（例えば、特許文献１）。この筒状反射板構成体は、光反射シートと透明シートにより確定される空間に直管形蛍光灯を挿入し、筒状反射板構成体に挿入された直管形蛍光灯を照明器具に取り付けるものである。そのため、既設の照明器具への直管形蛍光灯の取付けや切れた直管形蛍光灯の交換に手間隙を要するだけでなく、光反射シートの向きが固定されていないため、直管形蛍光灯の取付け後に適切な向きに設定し直す必要があった。加えて、デパートやスーパーマーケット等の売り場におけるような、顧客に対するイメージを重視する場所では、顧客に違和感を与える虞があった。
【０００４】
一方、照明器具の輝度の向上を企図する手段としては、陽極酸化処理によってチタン・シリコン等でコーティングしたアルミ板材をシェードとして用いることにより、下方への光反射率を高めた直管形蛍光灯照明器具がある（例えば、特許文献２）。しかしながら、この高反射率のシェードを既設の照明器具に適用する場合、既設の照明器具のシェードの寸法形状に合致したものを作成し、既設の照明器具のシェードを取り外し、高反射率のシェードを装着することになる。そのため、工事費が高価なものとなってしまうだけでなく、取り外したシェードの処分を行わねばならず、資源のムダを招き、省エネルギー化といえるのか疑義を生ずるものであった。
【特許文献１】特開２００１−１８４９１４号公報
【特許文献２】特開２００７−１８４１４７号公報
【発明の開示】
【発明が解決しようとする課題】
【０００５】
本発明は、既設の照明器具に高反射率のシェードを簡単に取り付けることができ、それによって既設の照明器具の照度を大きくできることにより、必要な直管形蛍光灯の数を低減することで省エネルギー化・省資源化を企図できる直管形蛍光灯照明器具用リフレクタを提供しようとするものである。
【課題を解決するための手段】
【０００６】
本発明による直管形蛍光灯照明器具用リフレクタは、高反射率の表面を有するシート状部材により形成され、総体的に長方形の平面形状を有する合成樹脂製の反射板と、この反射板に取り付けられる取付金具とから構成される。反射板は、その短手方向中間位置に一対のスリットを備え、高反射率の表面側に湾曲した面を形成するように、長手方向に伸びた複数のプレス線に沿って曲げられている。取付金具は、永久磁石と、該永久磁石を受容するためのケースとから構成される。取付金具のケースは、その中に永久磁石を磁力により吸着させて保持するための保持部と、該保持部の相互に対向する側から外方へそれぞれ延びる一対のタブ部とを有し、該タブ部は前記反射板のスリットに挿入されて折り曲げられることにより、取付金具を反射板に結合する。
【０００７】
本発明による直管形蛍光灯照明器具用リフレクタはまた、反射板の長手方向長さを、既存の直管形蛍光灯照明器具のソケット間の間隔と実質的に等しくなるように形成することもできる。
【発明の効果】
【０００８】
本発明によれば、既存の照明器具の直管形蛍光灯とソケットの間に本発明のリフレクタを挿入し、リフレクタに配設された取付金具の永久磁石を既存の照明器具のシェードに吸着させることにより、高反射率表面を有するリフレクタを既存の照明器具に取り付けるため、直管形蛍光灯を取り外すことナシにその取付作業を極めて簡単に行うことができ、加えて、既設の照明器具を大きな照度の照明装置に変更できるため、必要な直管形蛍光灯の数を低減することで省エネルギー化・省資源化を遂行できる。
【０００９】
更に、リフレクタの反射板を既製の照明器具に適合した寸法形状に形成してあることにより、取付作業時に寸法合わせ等の加工を行うことなく、リフレクタを単に挿入してシェードに吸着させるだけでその取付作業を遂行することができる。
【発明を実施するための最良の形態】
【００１０】
本発明の実施例による直管形蛍光灯照明器具用リフレクタ１は、図１に示すように、総体的に長方形の平面形状を有する反射板２と、反射板２に取り付けられる少なくとも１つ（図示の場合、２つ）の取付金具３とから構成される。
【００１１】
反射板２は、高反射率の表面を有するシート状部材により形成される。このシート状部材の例としては、古河電工株式会社のＭＣＰＥＴ（登録商標）を挙げることができる。ＭＣＰＥＴは、ペットボトルの原材料であるポリエチレンテレフタレート樹脂を用いた超微細発泡体シートで、全反射率９９％（内９６％は拡散反射）と、優れた光反射特性を有するものであり、かつ、ペットボトルの再利用により作成できるため、本発明が目的の一つとする省資源化に合致する部材である。
【００１２】
反射板２には、図２に示すように、その短手方向中間位置に一対のスリット２１が設けられている。一対のスリット２１は、１箇所であってもよいが、リフレクタ１を照明器具４へ取り付けたときに、リフレクタ１が変形したり、不用意に脱落したりするのを回避するために、反射板２の長手方向へ相互に対して離間した少なくとも２箇所に一対のスリット２１を設けるのが好ましい。反射板２にはまた、その長手方向へ延びる複数本の折り曲げ線２２が設けられており、それにより、反射板２は緩やかな樋状の湾曲面を形成する。反射板２の長手方向長さＬ１は、既存の直管形蛍光灯照明器具４のソケット４１間の間隔Ｄ１（図４）と実質的に等しい。一方、反射板２の平面状態における短手方向長さＬ２は、照明器具４のシェード４２の短手方向長さＤ２（図５）よりも大きくなるように形成される。しかしながら、後述する直管形蛍光灯毎にリフレクタ１を適用する場合、必ずしもシェード４２の短手方向長さＤ２より大きく形成されていなくともよいが、直管形蛍光灯を囲む形で湾曲した樋状の湾曲面を形成できるように、適用される全リフレクタ１の短手方向長さの合計がシェード４２の短手方向長さよりも大きくなるように寸法付けられる。
【００１３】
取付金具３は、永久磁石３１と、永久磁石３１を受容するためのケース３２とから構成される。取付金具３のケース３２は、その中に永久磁石３１を磁力により吸着させて保持するための保持部３２１と、保持部３２１の相互に対向する側から外方へそれぞれ延びる一対のタブ部３２２とを有している。一対のタブ部３２２は、相互に対面するように、保持部３２１と直交する方向へ曲げられたとき、各タブ部３２２が反射板２の一対のスリット２１にそれぞれ挿入されるように形成されている。各タブ部３２２は、図３に示すように、対応するスリット２１に挿入され、その挿入した部分を反射板２に接面するように折り曲げることにより、取付金具３を反射板２に結合する。
【００１４】
上述の如く構成される本発明の直管形蛍光灯照明器具用リフレクタ１は、図４および５に示すように、既設の照明器具４のソケット４１間で、シェード４２と直管形蛍光灯４３の間に挿入され、永久磁石３１をシェード４２に吸着させることにより取り付けられる。反射板２の湾曲形状がシェード４２の形状に比較して緩やかな湾曲である場合、永久磁石３１のシェード４２への吸着により、反射板２はシェード４２に押し付けられることにより、折り曲げ線２２における曲げ角度が増大し、シェード４２の形状に応じた形状に変形する。一方、反射板２の湾曲形状がシェード４２の形状に比較して小さく湾曲している場合、反射板２がシェード４２から離間した形状のままになってしまうため、取り付け前における反射板２は、折り曲げ線２２に沿った曲げを最小限度に留めるのが好ましい。
【産業上の利用可能性】
【００１５】
上述の説明において、既設の照明器具についてシェード４２を有する場合について説明したが、シェード４２を有していない照明器具であっても、例えば、図６に示すように、取付金具３を照明器具の本体ケース４４に吸着させることにより、前述と同様にして本発明のリフレクタを取り付けることができる。また、１つの照明器具に１つのリフレクタを用いるように説明したが、各直管形蛍光灯毎にリフレクタを取り付けることもできる。この各直管形蛍光灯毎にリフレクタを取り付ける場合としては、例えば、図７に示すように、本発明のリフレクタの採用により既設照明器具の照度が向上されることで過剰な照度となるのを回避するために、直管形蛍光灯３本の照明器具の直管形蛍光灯を２本に減じるような場合がある。また、上述の説明において、本発明のリフレクタに汎用性を付加するために、反射板２の寸法形状を、ソケット間の間隔と等しい長手方向長さと、シェードの短手方向長さよりも大きい平面状態での短手方向長さとを有する長方形として説明したが、ソケット間の間隔よりも大きな長手方向長さで形成し、種々の既設照明器具の寸法形状に応じて、ソケット用穴等を設けたりして適用することもできる。
【図面の簡単な説明】
【００１６】
【図１】本発明の実施例による直管形蛍光灯照明器具用リフレクタを示す斜視図である。
【図２】図１に示すリフレクタを説明するための部分図である。
【図３】反射板に取付金具を結合した状態を示す部分図である。
【図４】本発明のリフレクタを既設の照明器具に取り付けた状態を示す側面図である。
【図５】図５の側面と９０度異なる面から見た側面図である。
【図６】シェードのない照明器具にリフレクタを取り付けた場合を示す、図５と同様な図である。
【図７】各直管形蛍光灯毎にリフレクタを取り付けた場合を示す、図５と同様な図である。
【符号の説明】
【００１７】
１    直管形蛍光灯照明器具用リフレクタ
２    反射板
２１    スリット                        ２２    折り曲げ線
３    取付金具
３１    永久磁石                        ３２    ケース
３２１    保持部                        ３２２    タブ部
４    照明器具
４１    ソケット                        ４２    シェード
４３    直管形蛍光灯
Ｄ１  （ソケット間の）間隔              Ｄ２  （シェードの）短手方向長さ
Ｌ１  （反射板の）長手方向長さ
Ｌ２  （反射板の平面状態における）短手方向長さ
【図１】
2010073391.tif 000003
【図２】
2010073391.tif 000004
【図３】
2010073391.tif 000005
【図４】
2010073391.tif 000006
【図５】
2010073391.tif 000007
【図６】
2010073391.tif 000008
【図７】
2010073391.tif 000009